(57)【要約】【課題】  傘を差し込む段階で傘の石突きが袋にあたる部分が一重にならないように工夫することにより収納袋の破断を防止し、水滴の収容が確実であって、かつ、製作操作が容易な傘入れを経済的に提供する。【解決手段】  本考案の携帯用傘入れ１００は、板状のホルダ体１０と、該ホルダ体に折り畳まれて収容される薄い合成樹脂製の傘袋２０とよりなり、傘袋２０は開口部周縁をホルダ体に固着されており、該固着部分３０から所定の長さの中央袋２２を軸として振り子状に折り畳まれている。ホルダ体１０は矩形状板体を長手方向に２つ折りして形成され、傘袋は開口部に長手方向に切断した切込み部を設け、該切込み部から袋体を反転し、該反転した部分２０Ｔをホルダ体１０に固着している。【選択図】      図１
0003112369.tif 000002
【実用新案登録請求の範囲】
【請求項１】
板状のホルダ体と、該ホルダ体に折り畳まれて収容される傘袋とよりなる携帯用傘入れにおいて、
前記傘袋は薄い合成樹脂製筒状袋であって、開口部周縁を前記ホルダ体に固着され、該固着部分から所定の長さを有する傘袋を軸として振り子状に折り畳まれていることを特徴とする携帯用傘入れ。
【請求項２】
前記ホルダ体は矩形状板体を長手方向に２つ折りして形成している請求項１記載の携帯用傘入れ。
【請求項３】
前記傘袋は開口部に長手方向に切断した切込み部を設け、該切込み部から袋体を反転し、該反転した部分をホルダ体に固着していることを特徴とする請求項１記載の携帯用傘入れ。
【請求項４】
前記反転した部分の下端にはホルダ体に固着しない部分があることを特徴とする請求項３記載の携帯用傘入れ。
【請求項５】
前記傘袋の所定の長さはホルダ体の幅寸法より短いことを特徴とする請求項１記載の携帯用傘入れ。
【考案の詳細な説明】
【技術分野】
【０００１】
本考案は軽量で嵩ばらず、製造が簡単で使用後の破棄が可能な経済的に提供できる携帯用傘入れに関する。
【背景技術】
【０００２】
雨天時に使用の濡れた傘は、車内・ビル内への持込の際、雫の落下による床濡れを発生させた。濡れた床は滑りやすく歩行者には危険であった。
そこで、店舗・公共施設・ホテルなどでは入り口に簡易傘袋を用意している場合が多い。しかし、電車・バス内での不都合は解消されていない。
【０００３】
そのような不便を解消すべく、下記の文献に簡易傘入れが提案されている。
【特許文献１】特開平９−２５２８１７号公報
【特許文献２】実開平７−５４１５号公報  特許文献１には、開口部分が露呈するように折り畳んだ、あるいは巻かれた軟質プラスチック製の傘袋が開示され、特許文献２には、薄い樹脂フイルムの細長い傘袋を巻き取ることにより携帯できるようにした構成が開示されている。
【考案の開示】
【考案が解決しようとする課題】
【０００４】
これらの開示されている簡易傘袋は袋内に傘を挿入する場合、傘の石突きが当たる袋の先端部分が一重となる構造のため、収納する段階で袋の先端部分を傘の先で突いて袋を破断してしまう不都合があった。そして、破れている部分から収容した水滴が洩れてしまい雨滴収容の役目を果たさなかった。また、筒状の薄いフイルム製の傘袋と筒状のカバー体との接着作業は困難な作業であった。
【０００５】
そこで、この考案の携帯用傘入れは、傘を差し込む段階で常に傘の石突きが袋にあたる部分が一重にならないように工夫することにより傘袋の破断を防止し、水滴の収容が確実であって、かつ、製作操作が容易な傘入れを経済的に提供する。
【課題を解決するための手段】
【０００６】
上記課題を解決するため、本考案の携帯用傘入れは、板状のホルダ体と、該ホルダ体に折り畳まれて収容される薄い合成樹脂製の傘袋とよりなり、傘袋は開口部周縁をホルダ体に固着されており、該固着部分から所定の長さを有する傘袋を軸として振り子状に折り畳まれている構成を具備する。
【０００７】
また、ホルダ体は矩形状板体を長手方向に２つ折りして形成されている構成、傘袋は開口部に長手方向に切断した切込み部を設け、該切込み部から袋体を反転し、該反転した部分、例えば、反転した部分の下端部分を残して、ホルダ体に固着している構成を有する。
また、軸となる傘袋の所定の長さはホルダ体の幅寸法より短いことを特徴とする。
【考案の効果】
【０００８】
本考案の携帯用傘入れは、傘を差し込む段階で常に傘の石突きが袋にあたる部分が一重にならないので傘収納時、傘袋の破断の危惧がなく、水滴の収容が確実である。さらに、製作操作が容易で経済的に提供できる。
【考案を実施するための最良の形態】
【０００９】
本案の実施の形態例を図面を参照して説明する。
図１は本案の携帯用傘入れの構成断面説明図、図２は斜視図、図８は使用状態の説明図である。
携帯傘入れ１００はホルダ体１０と、ホルダ体１０に貼着される傘袋２０とを有する。傘袋２０は折り畳まれてホルダ体１０内に収納されている。
ホルダ体１０は、図３に示すように、１枚の紙、あるいは生分解性を有する合成樹脂などより形成される横長な矩形板状体である。ホルダ体１０は一枚の横長矩形状板体の長手方向を半分に折って端縁１５は開放状態としている。
【００１０】
傘袋２０は、薄い合成樹脂フイルムよりなる筒状体であって、上端縁を開口している。生分解性を有する樹脂フイルムなどで形成することにより廃棄処理による環境汚染を防止することができる。
傘袋２０の開口部分に長手方向へ切断した切り込み部２１を形成している。この切込み部２１は開口部分の対向位置に２箇所形成され、長さはホルダ体１０の幅寸法Ｍの１／２〜２／３程度の寸法としている。
この傘袋２０は、折り畳まれた状態でホルダ体１０に収納される。
【００１１】
次に、傘袋２０の折り畳み方を図５を参照して説明する。図５は便宜上誇大に表示している。
ホルダ体１０の幅寸法Ｍの範囲で、傘袋２０の切込み部２１を残してその他の傘袋２０の部分を折り畳む。このとき、残された切込み部分の傘袋部分を２０Ｔとする。
先ず、所定の長さの所から折り曲げて第１の底部２３ａを形成する。ここで所定の長さとは、ホルダ体１０に収納されることから、ホルダ体１０の幅寸法Ｍより短い長さである。この所定の長さを有する袋部分を中心袋２２という。
第一の底部２３ａから折曲した傘袋２０は、上部２５ａで折れ曲がって下降する。第１の底部２３ａの下部で折れ曲がって第２の底部２３ｂを形成。上記の上部２５ａとは中心袋２２を介して反対面に上部２７ａを形成して、折れ曲がり下降して第２の底部２３ｂの下部に第３の底部２３ｃを形成する。このように切込み部２１を有する傘袋部分２０Ｔに連続する中央袋２２を中心にして、振り子のように折曲折り畳み行動を繰り返し、上部２５ｂ、第４の底部２３ｄ、上部２７ｂ、第５の底部２３ｅ、上部２５ｃ・・・を形成する。このときの折り畳まれた傘袋２０の寸法Ｌはホルダ体１０の幅寸法Ｍより短いものとなる。
【００１２】
このように折り畳まれた傘袋２０をホルダ体１０に取り付ける。・・図６参照
先ず、傘袋部分２０Ｔをそれぞれの切り込み部２１，２１から反転して、折り畳まれている傘袋２０の上部を被覆する。この状態で傘入れ１００の開口２９が形成される。
次に、ホルダ体１０の長手方向半面、例えば折り曲げた半面を１０Ａ、他の面を１０Ｂとすると、ホルダ体半面１０Ａ，１０Ｂに折り畳んだ傘袋２０を貼着する。このとき、切込み部２１を反転させた傘袋部分２０Ｔの上側の約半分の範囲を糊代３０として接着剤を付け、下側半分の範囲２２Ｔには接着剤を付けない。そして、ホルダ体の半面１０Ｂの上部に傘袋部分２０Ｔの上側の糊代３０を貼着する。
そして、ホルダ体１０の残りの半分の部分１０Ａを折り曲げて、傘袋２０の残りの半面に貼着する。この場合も、切込み部２１を反転させた傘袋部分２０Ｔの上部の糊代３０のみがホルダ体１０の上部に貼着し、下側半分の範囲２２Ｔは接着剤が付いていないので、ホルダ体および折り畳まれている傘袋２０には接着されない。
この製作は、（１）  折り畳んだ傘袋２０を上部位置でまとめている、反転させた傘袋部分２０Ｔの上部に付けた接着剤を板状のホルダ体１０に貼着する動作、（２）  他の面の傘袋部分２０Ｔに接着剤を付けてホルダ体１０を折る動作、の２動作でホルダ体１０と傘袋２０の接着（固着）が完了する。
このとき、傘袋部分２０Ｔの下側半分の範囲に接着剤が付着していない部分があるので、畳まれている傘袋が糊のはみ出しなどにより、誤ってホルダ体１０に貼着することがない。
【００１３】
このように構成することにより、２つ折のホルダ体１０に、上部が貼着されると共に開口部２９を形成した折り畳まれた傘袋２０が収容され、携帯傘入れ１００が完成する。
このようにして構成される携帯傘袋１００は、傘袋２０が２つ折りのホルダ体１０内に収容されたコンパクトな状態となる。また、ホルダ体１０の表面に広告文章６０、例えば「ＡＢ会社」などを記載することにより、宣伝効果を付加することができる。
【００１４】
次に、携帯傘入れ１００の使用法を説明する。・・図７参照
傘５０の石突き部５３を携帯傘入れ１００の傘袋２０の開口部２９に挿入する。石突き部５３が第１の底部２３ａに突き当たる。このときの底部は５重になっている。さらに石突き部５３を深く挿入すると、傘袋２０の折り畳みは引き伸ばされてゆく。さらに石突き部５３を押し込んだときも、少なくとも最終の底部２３ｅが存在しているので、石突き部５３が当たっている部分は傘袋２０の下部に到達するまで二重となっており、傘袋２０を石突き部５３で突き破ることが無い。
【図面の簡単な説明】
【００１５】
【図１】本考案の携帯用傘入れの側面図
【図２】本考案の携帯用傘入れの斜視図
【図３】ホルダ体の平面図
【図４】傘袋の斜視図
【図５】傘袋の畳み方の説明図
【図６】携帯用傘入れの製作工程説明図
【図７】傘挿入時の使用状態説明図
【図８】本考案の携帯用傘入れの使用状態説明図
【符号の説明】
【００１６】
１０  ホルダ体
２０  傘袋
２０Ｔ  反転させた傘袋部分
２１  切込み部
２２  中心袋
２３  底部
２５、２７  上部
３０  糊代
５０  傘
５３  石突き部
６０  広告
１００  携帯用傘入れ
【図１】
0003112369.tif 000003
【図２】
0003112369.tif 000004
【図３】
0003112369.tif 000005
【図４】
0003112369.tif 000006
【図５】
0003112369.tif 000007
【図６】
0003112369.tif 000008
【図７】
0003112369.tif 000009
【図８】
0003112369.tif 000010